(57)【要約】【課題】  容器体口頸部に対する装着部材の着脱を容易にして、空容器からの装着部材の取外しと新しい容器への取付けのみで装着部材の付け替えが行える容器口部の装着部材用着脱機構とこれを備えた容器を提供する。【解決手段】容器体口頸部３上端面へ載置した環状上壁１１から垂下筒１２を垂設した基部１０と、環状上壁１１から口頸部３外面へ段部の係合による抜け止め手段４２を介して嵌合させて垂下した嵌合筒を割溝縦設により拡開可能な弾性脚部４４に形成した係合部４０と、垂下筒１２へ上下動自在かつ抜出し不能に嵌合させた摺動筒５２に係合爪５３を設けて、係合爪を弾性脚部４４へ摺動自在に係合させた係合解除部５０とを備え、係合解除部５０の引き上げによる係合爪５３の上昇で、弾性脚部４４が拡開して容器体口頸部から係合離脱し、さらに係合解除部５０が弾性脚部４４と垂下筒１２とのそれぞれの下端へ下方から当接して、基部１０を容器体口頸部から上方へ離脱可能に設けた。【選択図】  図１
2010030672.tif 000002
【特許請求の範囲】
【請求項１】
容器体口頸部３上端面へ載置した環状上壁１１から垂下筒１２を垂設した基部１０と、
前記環状上壁１１から口頸部３外面へ段部の係合による抜け止め手段４２を介して嵌合させて垂下した嵌合筒を割溝縦設により拡開可能な弾性脚部４４に形成した係合部４０と、
前記垂下筒１２へ上下動自在かつ抜出し不能に嵌合させた摺動筒５２に係合爪５３を設けて、該係合爪を前記弾性脚部４４へ摺動自在に係合させるとともに、前記摺動筒から引き上げ用の指掛け部６０を外方へ突設した係合解除部５０とを備え、
前記係合解除部５０の引き上げによる前記係合爪５３の上昇で、前記弾性脚部４４が拡開して容器体口頸部から係合離脱し、さらに前記係合解除部５０が前記弾性脚部４４と前記垂下筒１２とのそれぞれの下端へ下方から当接して、前記基部１０を容器体口頸部から上方へ離脱可能に設けたことを特徴とする容器口部の装着部材用着脱機構。
【請求項２】
前記係合部４０は前記環状上壁１１下面に設けたリング４１と、該リングから垂下する弾性脚部４４とからなり、該弾性脚部の下部内面に形成された上向き段部よりも下方の弾性脚部部分内面を斜め下外方へ傾斜させた第１傾斜部４６に形成しており、
また前記係合爪５３の上部外面は斜め上内方へ傾斜されて前記第１傾斜部へ係合する第２傾斜部５４に形成されていることを特徴とする請求項１記載の容器口部の装着部材用着脱機構。
【請求項３】
前記係合解除部５０は、前記摺動筒５２外面から外向きフランジ５５を介して垂下する載置筒５６を備えているとともに、前記係合爪５３を内向きフランジを介して前記摺動筒５２内で起立させ、
前記載置筒５６は容器体口頸部の下端へ連続する容器体肩部２へ載置され、かつ該載置筒よりも外方の外向きフランジ部分を前記指掛け部６０に形成したことを特徴とする請求項１又は２記載の容器口部の装着部材用着脱機構。
【請求項４】
胴部上端から肩部２を介して口頸部３を起立する容器体１と、
該容器体口頸部上端へ載置させた環状上壁１１外周から垂下筒１２を垂下するとともに、環状上壁内周へ有孔底壁付き吊下げ筒１６を貫設させ、環状上壁上端よりも上方の吊下げ筒部分をキャップ用嵌合部１７とした基部１０と、
前記吊下げ筒底壁１５から起立する容器体内容物注出用の注出部材３０と、
前記環状上壁１１に設けられたリング４１から垂下する弾性脚部４４を容器体口頸部外面へ段部の係合による抜け止め手段４２を介して嵌合させた係合部４０と、
前記垂下筒１２内面へ上下動自在かつ抜出し不能に摺動筒５２を嵌合させ、該摺動筒下端から内向きフランジを介して筒状の係合爪５３を起立させるとともに、摺動筒５２下端から外向きフランジを介して載置筒５６を垂下する係合解除部５０とを備え、
前記係合爪５３を前記弾性脚部４４の下端部内面へ上下動自在に係合させて、係合爪の上昇で前記弾性脚部４４を拡開可能に設けるとともに、前記載置筒５６を前記容器体肩部２へ載置させ、さらに載置筒よりも外方の外向きフランジ部分を係合解除部引き上げ用の指掛け部６０に形成したことを特徴とする容器口部の装着部材用着脱機構を備えた容器。
【発明の詳細な説明】
【技術分野】
【０００１】
本発明は、容器口部に装着された装着部材、例えば、容器体内容物を注出ないし塗布等するために用いられる注出部材または開閉キャップを嵌合させるための嵌合部材等の装着部材を容器口部から離脱させ、ないしは装着させるために用いられる容器口部の装着部材用着脱機構とこれを備えた容器に関する。
【背景技術】
【０００２】
容器体口頸部へ装着させる注出部材として容器体口頸部内から樋状のノズルを起立させるタイプのものでは、容器体内へ内容物を補充する際に、口頸部から突出するノズルが邪魔になるため、内容物の補充を容易にすべくノズルを押下げ可能に設けた注出容器が知られている(特許文献１)。
【特許文献１】特開２０００−１４２７５７号公報
【発明の開示】
【発明が解決しようとする課題】
【０００３】
しかしながら特許文献１記載の発明では、容器体内へ内容物を補充する際に、まずキャップを外し、ノズルを押下げた後、詰替え容器を倒立させて内容物を口頸部を介して容器体内へ注入し、再度ノズルを口頸部内から引き出さなければならず、このように一度の補充の際に数回にわたる動作が必要となるため内容物の補充が面倒であった。
【０００４】
本発明の目的は、容器体口頸部に対する装着部材の着脱を容易にして、空容器からの装着部材の取外しと新しい容器への取付けのみで装着部材の付け替えが行える容器口部の装着部材用着脱機構とこれを備えた容器を提供することにある。
【課題を解決するための手段】
【０００５】
本発明は、容器体口頸部３上端面へ載置した環状上壁１１から垂下筒１２を垂設した基部１０と、
前記環状上壁１１から口頸部３外面へ、段部の係合による抜け止め手段４２を介して嵌合させて垂下した嵌合筒を割溝縦設により拡開可能な弾性脚部４４に形成した係合部４０と、
前記垂下筒１２へ上下動自在かつ抜出し不能に嵌合させた摺動筒５２に係合爪５３を設けて、該係合爪を前記弾性脚部４４へ摺動自在に係合させるとともに、前記摺動筒から引き上げ用の指掛け部６０を外方へ突設した係合解除部５０とを備え、
前記係合解除部５０の引き上げによる前記係合爪５３の上昇で、前記弾性脚部４４が拡開して容器体口頸部から係合離脱し、さらに前記係合解除部５０が前記弾性脚部４４と前記垂下筒１２とのそれぞれの下端へ下方から当接して、前記基部１０を容器体口頸部から上方へ離脱可能に設けたことを特徴とする。
【０００６】
また、本発明は、前記係合部４０は前記環状上壁１１下面に設けたリング４１と、該リングから垂下する弾性脚部４４とからなり、該弾性脚部の下部内面に形成された上向き段部よりも下方の弾性脚部部分内面を斜め下外方へ傾斜させた第１傾斜部４６に形成しており、また前記係合爪５３の上部外面は斜め上内方へ傾斜されて前記第１傾斜部へ係合する第２傾斜部５４に形成されていることを特徴とする。
【０００７】
さらに、本発明は、前記係合解除部５０は、前記摺動筒５２外面から外向きフランジ５５を介して垂下する載置筒５６を備えているとともに、前記係合爪５３を内向きフランジを介して前記摺動筒５２内で起立させ、
前記載置筒５６は容器体口頸部の下端へ連続する容器体肩部２へ載置され、かつ該載置筒よりも外方の外向きフランジ部分を前記指掛け部６０に形成したことを特徴とする。
【０００８】
さらに、本発明は、胴部上端から肩部２を介して口頸部３を起立する容器体１と、
該容器体口頸部上端へ載置させた環状上壁１１外周から垂下筒１２を垂下するとともに、環状上壁内周へ有孔底壁付き吊下げ筒１６を貫設させ、環状上壁上端よりも上方の吊下げ筒部分をキャップ用嵌合部１７とした基部１０と、
前記吊下げ筒底壁１５から起立する容器体内容物注出用の注出部材３０と、
前記環状上壁１１に設けられたリング４１から垂下する弾性脚部４４を容器体口頸部外面へ段部の係合による抜け止め手段４２を介して嵌合させた係合部４０と、
前記垂下筒１２内面へ上下動自在かつ抜出し不能に摺動筒５２を嵌合させ、該摺動筒下端から内向きフランジを介して筒状の係合爪５３を起立させるとともに、摺動筒５２下端から外向きフランジを介して載置筒５６を垂下する係合解除部５０とを備え、
前記係合爪５３を前記弾性脚部４４の下端部内面へ上下動自在に係合させて、係合爪の上昇で前記弾性脚部４４を拡開可能に設けるとともに、前記載置筒５６を前記容器体肩部２へ載置させ、さらに載置筒よりも外方の外向きフランジ部分を係合解除部引き上げ用の指掛け部６０に形成したことを特徴とする。
【発明の効果】
【０００９】
本発明は、基部を容器体口頸部外面へ固定する係合部が拡開可能に設けられているとともに、上下動自在に設けられた係合解除部の引き上げによる係合爪の上昇で係合部が拡開して容器体口頸部から係合離脱可能に設けたので、係合解除部の引き上げだけで容器体口頸部から装着部材を容易に取外すことができる。
【００１０】
また、係合部の嵌合筒(弾性脚部)は、拡開自在であるから、基部を容器体口頸部へ係合させて押下げるだけで口頸部へ装着部材を取り付けることができ、したがって、装着部材の付け替えが容易である。
【００１１】
さらに、本発明は、係合部は環状上壁下面に設けたリングと、該リングから垂下する弾性脚部とからなっていて基部とは別体に構成されているから、係合部の組付けという後工程が必要となるものの成形金型を簡素化できるため、製造コストの低減を図ることができる。
【００１２】
さらに、本発明は、弾性脚部に第１傾斜部を、また係合爪に第２傾斜部を設けて、これらを摺動自在に係合させるため、係合解除部の引き上げによる係合爪の上昇で弾性脚部の拡開が円滑に行える。
【００１３】
さらに、本発明は、載置筒を容器体の肩部へ載置させるため、容器体口頸部への装着部材の装着時における係合解除部の基部からの抜出しを、係合解除部に外力が加わった場合でも確実に防止することができる。
【発明を実施するための最良の形態】
【００１４】
以下、本発明を、図面に示す実施の形態を参照しながら説明する。
本発明において、装着部材は基部、係合部および係合解除部を主たる構成要素とする。以下、これらにつき詳細に説明する。
１は容器体で、胴部上端から肩部２を介して口頸部３を起立して、該口頸部３上部外面に段部としての第１突条４を周設している。なお、容器体１の形状としては図１に示すような袋状(所謂、パウチ)でもよく、あるいは図５に示すような細長円筒状で、一対の凹部８０により形成された把持部を有するブロー成形容器などでもよい。また、容器本体の成形方法、形態、断面形状などは適宜選択することができる。
後述の弾性脚部の係合離脱が円滑に行われるように、容器口頸部への嵌合が安定に保持できる範囲内で、第１突条４の下面、および／または後述する第２突条４５の上面を水平よりもやや上方へ傾斜させてもよい。
【００１５】
１０は基部で、口頸部３の上端面へ載置した環状上壁１１外周から垂下筒１２を垂下するとともに、垂下筒１２上端からスカート状壁１３を外方へ拡開させている。
【００１６】
環状上壁１１内周には、下面が有孔底壁１５で閉塞された吊下げ筒１６が貫設されており、環状上壁１１よりも上方の吊下げ筒１６部分はキャップ用嵌合部１７に形成されている。
【００１７】
２０は補助筒で、キャップ用嵌合部１７外面へ螺合された螺筒２１の上端に付設された内向きフランジ２２上面から外筒を短くした内外二重筒２３を起立して、内筒２３ａ下端が内向きフランジ２２よりも下方へ延設されており、キャップ用嵌合筒１７の内面に液密に接触する。また、内向きフランジ２２内周から吊下げ筒１６が上部内面へ嵌合させて固定筒２４を垂下している。
【００１８】
３０はノズルで、横断面形状がＵ字状ないしＣ字状の樋状に形成されていて、吊下げ筒１６の底壁１５から起立しており、底壁１５に形成された通孔を介して流出する容器体内容物の流路として機能する。
【００１９】
４０は係合部で、環状上壁１１外周部下面へ接面するように垂下筒１２上端部内面へ嵌着させたリング４１と、該リング４１内周から垂下して容器体口頸部３外面へ抜け止め手段４２を介して嵌合した嵌合筒４３に複数の下面開口の割溝を縦設して形成した弾性脚部４４とから形成されている。なお、上記では、係合部４０は基部１０と別体に設けられているが、リング４１を環状上壁１１と一体に形成することも可能である。
【００２０】
抜け止め手段４２は口頸部３上部外面に段部として周設された第１突条４と、嵌合筒４３の下部内面に段部として周設された第２突条４５とから構成されている。第２突条４５は第１突条４下面へ係合されている。
【００２１】
嵌合筒４３(弾性脚部４４)の第２突条４５よりも下方部分内面は斜め下外方へ傾斜する第１傾斜部４６に形成されており、後述する係合解除部の第２傾斜部に対して摺動自在な相補的形状とされている。
【００２２】
５０は係合解除部で、垂下筒１２内面へ凹凸の係合手段５１を介して抜出し不能に、かつ上下動自在に嵌合された摺動筒５２を備えている。摺動筒５２下端には内向きフランジを介して係合爪としての係合筒５３が設けられており、該係合筒５３の上部内面は斜め上方へ傾斜する第２傾斜部５４に形成されている。第２傾斜部５４上端は第１傾斜部４６下端へ摺動自在に係合されている。なお、上記では係合爪は筒状に形成されているが、これに限らず筒部に複数の割溝を縦設して、周方向へ間欠的に配列された複数の弾性片で形成することも可能である。
【００２３】
摺動筒５２下端には、また外向きフランジ５５が形成されている。該外向きフランジ５５の外周部には載置筒５６が垂設されており、該載置筒５６は容器体肩部２上に載置されている。なお、上記では摺動筒５２は垂下筒１２の内面へ嵌合されているが、これに限らず垂下筒１２の外面へ嵌合させることも可能である。
【００２４】
６０は指掛け部で、載置筒５６よりも外方の外向きフランジ５５部分によって形成されている。なお、指掛け部６０は外向きフランジ５５によって形成することなく、単に摺動筒５２下端から板体を外方へ突設させることによって形成することも可能である。ただし、この場合には載置筒５６は省略する。
【００２５】
７０はキャップで、周壁７１下端部は内外二重筒７２に形成されていて、該内外二重筒７２は補助筒２０における内外二重筒２３の外筒へ嵌合されている。
また、補助筒２０とキャップ７０は一体に成形することも可能であり、補助筒２０とキャップ７０とが係合された状態で、計量カップとして使用される。
【００２６】
８０は把手で、容器体１胴部の上部に形成された貫通孔から形成されている。
【００２７】
次に作用について説明する。
図１は容器体口頸部３へ装着された装着部材の係合解除前の状態を示す。容器体１内の内容物が消費されて空になった場合には、装着部材を容器体口頸部３から取外して、詰替え容器９０に付け替える。
【００２８】
空の容器体１の口頸部３から装着部材を取外すには、指掛け部６０を介して係合解除部５０を引き上げればよく、すると載置筒５６が容器体肩部３から上方へ離間するとともに、係合筒５３と摺動筒５２とが上昇する。
【００２９】
係合筒５３に設けられた第２傾斜部５４は、弾性脚部４４に設けられた第１傾斜部４６へ摺動自在に係合しているため、係合筒５３が上昇すると、弾性脚部４４が徐々に拡開して第２突条４５が第１突条４から係合離脱しつつ弾性脚部４４下端が係合筒５３と摺動筒５２との間隙内へ進入する。
【００３０】
そして、第２突条４５が第１突条４から離脱した時点で、弾性脚部４４の下端が係合筒５３と摺動筒５２との間隙底部に当接するとともに、垂下筒１２下端が外向きフランジ５５上面に当接する。これ以降は係合筒５３と摺動筒５２との上昇にともなって基部１０が押上げられて口頸部３から上方へ離脱する。
【００３１】
上記のようにして空の容器体から取外した装着部材を、図４に示す詰替え容器９０に取り付けるには、吊下げ筒１６を詰替え容器９０の口頸部３内へ挿入すればよく、すると弾性脚部４４が拡開しつつ第２突条４５が第１突条４を乗り越え、第２突条４５上面が第１突条４下面へ係合した時点で弾性脚部４４は元の形状に復する。このように弾性脚部４４が口頸部３外面へ係合しているため、注出時に吊下げ筒１６に液圧が作用しても基部１０が口頸部３から抜け出ることがない。
【００３２】
なお、上記では吊下げ筒１６の底壁から樋状のノズル３０を起立させた注出部材を用いているが、これに限定されることなく、例えば、注出部材に換えて塗布用の塗布部材を口頸部３内に設けてもよく、あるいは注出部材ないし塗布部材、補助筒２０およびキャップ７０を省略するとともに、キャップ用嵌合部１７の上端にヒンジを介してキャップを取り付けることも可能である。
【図面の簡単な説明】
【００３３】
【図１】本発明に係る容器口部の装着部材用着脱機構を適用した容器の一部切欠き側面図である。
【図２】要部を示す拡大図である。
【図３】係合解除部の引き上げ状態を示す作用説明図である。
【図４】詰替え容器の側面図である。
【図５】本発明を異なる形状の容器に適用した例を示す図１相当図である。
【符号の説明】
【００３４】
１  容器体
２  肩部
３  口頸部
１０  基部
１１  環状上壁
１２  垂下筒
２０  補助筒
４０  係合部
４１  リング
４４  弾性脚部
４２  抜け止め手段
４６  第１傾斜部
５２  摺動筒
５４  第２傾斜部
５６  載置筒
６０  指掛け部
７０  キャップ
【図１】
2010030672.tif 000003
【図２】
2010030672.tif 000004
【図３】
2010030672.tif 000005
【図４】
2010030672.tif 000006
【図５】
2010030672.tif 000007